(57)【要約】【課題】本発明は、面発光する光源を利用する場合において、光源からの光の利用効率を高めることができる投写型映像表示装置を提供する。【解決手段】  本発明は、光源と、フライアイレンズと、偏光ビームスプリッタ６と、液晶パネルと、投写レンズとを備える投写型映像表示装置である。。偏光ビームスプリッタ６は、フライアイレンズで集光させた光６０を入射する一面に、開口部６ａと、遮光部６ｂとを有している。フライアイレンズで集光させた光６０の形状が、偏光ビームスプリッタ６の一面において矩形状となる場合、フライアイレンズで集光させた光６０の形状の長辺方向と、偏光ビームスプリッタ６の開口部６ａの長辺方向とを一致させている。【選択図】図６
2013007835.tif 000002
【特許請求の範囲】
【請求項１】
少なくとも１つの面発光する光源と、
前記光源からの光を集光させるフライアイレンズと、
前記フライアイレンズで集光させた前記光が入射する一面に、開口部と、遮光部とを有し、前記フライアイレンズで集光させた光の偏光方向を変換する偏光ビームスプリッタと、
前記偏光ビームスプリッタで偏光方向を変換した光を透過または反射させて映像を生成する液晶パネルと、
前記液晶パネルで生成した映像を、スクリーン上に投写する投写レンズと
を備え、
前記フライアイレンズで集光させた前記光の形状が、前記偏光ビームスプリッタの前記一面において矩形状となる場合、前記フライアイレンズで集光させた前記光の前記形状の長辺方向と、前記偏光ビームスプリッタの前記開口部の長辺方向とを一致させる投写型映像表示装置。
【請求項２】
前記光源の形状が矩形状である場合、前記光源の形状の長辺方向と、前記偏光ビームスプリッタの前記開口部の長辺方向とを一致させる請求項１に記載の投写型映像表示装置。
【請求項３】
前記光源は、発光ダイオードである請求項１または請求項２に記載の投写型映像表示装置。
【発明の詳細な説明】
【技術分野】
【０００１】
本発明は、投写型映像表示装置に関し、特に、映像の生成に液晶パネルを用いた投写型映像表示装置に関する。
【背景技術】
【０００２】
近年、ビジネスにおいてプレゼンテーションに用いる表示装置や、家庭においてホームシアターに用いる表示装置などに、プロジェクター等の投写型映像表示装置が利用されている。投写型映像表示装置では、より高画質の映像を得るために、光源や、光源からの光を液晶パネルに導く光学系の開発が行なわれている。
【０００３】
たとえば、特許文献１では、投写型映像表示装置に用いる光学系が開示してあり、複数の発光素子からの光を個別に分割し、フライアイレンズの小レンズにより分割した個別の光を重畳させる光学系の構成が開示してある。特許文献１に開示してある光学系を用いた投写型映像表示装置では、照度ムラを抑えることが可能となり、高画質の映像を得ることができる。
【先行技術文献】
【特許文献】
【０００４】
【特許文献１】特開２０１０−２３０８０３号公報
【発明の概要】
【発明が解決しようとする課題】
【０００５】
しかし、特許文献１に開示してある投写型映像表示装置のように、光源に発光ダイオード（ＬＥＤ）などの面発光する光源を利用する場合、超高圧水銀ランプなどの点発光する光源を利用する場合に比べて、発光面積が広く、発光角度が大きくなる。そのため、特許文献１に開示してある投写型映像表示装置では、フライアイレンズで集光させた光が偏光ビームスプリッタの一面に広がり、点発光する光源を利用する場合の光源、フライアイレンズ、および偏光ビームスプリッタの配置をそのまま利用したのでは、光源からの光の利用効率が低下するという問題があった。
【０００６】
それゆえに、本発明は、上記問題点を解決するためになされたものであり、面発光する光源を利用する場合において、光源からの光の利用効率を高めることができる投写型映像表示装置を提供することを目的とする。
【課題を解決するための手段】
【０００７】
本発明のある局面に従う投写型映像表示装置は、少なくとも１つの面発光する光源と、光源からの光を集光させるフライアイレンズと、フライアイレンズで集光させた光の偏光方向を変換する偏光ビームスプリッタと、偏光ビームスプリッタで偏光方向を変換した光を透過または反射させて映像を生成する液晶パネルと、液晶パネルで生成した映像を、スクリーン上に投写する投写レンズとを備えている。偏光ビームスプリッタは、フライアイレンズで集光させた光が入射する一面に、開口部と、遮光部とを有している。フライアイレンズで集光させた光の形状が、偏光ビームスプリッタの一面において矩形状となる場合、フライアイレンズで集光させた光の形状の長辺方向と、偏光ビームスプリッタの開口部の長辺方向とを一致させる。
【０００８】
本発明のある局面に従う投写型映像表示装置では、フライアイレンズで集光させた光の形状の長辺方向と、偏光ビームスプリッタの開口部の長辺方向とを一致させるので、フライアイレンズで集光させた光のうち、偏光ビームスプリッタで偏光方向を変換する光の割合が増え、光源からの光の利用効率を高めることができる。
【０００９】
好ましくは、光源の形状が矩形状である場合、光源の形状の長辺方向と、偏光ビームスプリッタの開口部の長辺方向とを一致させる。
【００１０】
投写型映像表示装置は、光源の形状の長辺方向と、偏光ビームスプリッタの開口部の長辺方向とを一致させることで、フライアイレンズで集光させた光の形状の長辺方向と、偏光ビームスプリッタの開口部の長辺方向とを一致させることができ、より多くの光を偏光ビームスプリッタの開口部に入射させて、光源からの光の利用効率をより高めることができる。
【００１１】
好ましくは、光源は、発光ダイオードである。
発光ダイオードは、面発光する光源であるため、本発明の構成を採用することで、光源からの光の利用効率を高めることができる。また、発光ダイオードを光源に利用した場合、超高圧水銀ランプを光源に利用する場合に比べて、光源の寿命が長くなる。
【発明の効果】
【００１２】
本発明によれば、フライアイレンズで集光させた光の形状の長辺方向と、偏光ビームスプリッタの開口部の長辺方向とを一致させるので、フライアイレンズで集光させた光のうち、偏光ビームスプリッタで偏光方向を変換する光の割合が増え、光源からの光の利用効率を高めることができる。
【図面の簡単な説明】
【００１３】
【図１】本発明の実施の形態に係る投写型映像表示装置の構成を示す概略図である。
【図２】光源から液晶パネルまでに至る光路を投写型映像表示装置の側面から見た概略図である。
【図３】光源から液晶パネルまでに至る光路を投写型映像表示装置の上面から見た概略図である。
【図４】偏光ビームスプリッタの構成を示す斜視図である。
【図５】偏光ビームスプリッタにおける光の偏光方向の変換を説明する模式図である。
【図６】偏光ビームスプリッタの一面において、フライアイレンズで集光させた光の形状を示す模式図である。
【図７】偏光ビームスプリッタの一面において、フライアイレンズで集光させた光の別の形状を示す模式図である。
【発明を実施するための形態】
【００１４】
以下、本発明の実施の形態について、図面を参照しながら詳細に説明する。なお、図中の同一または相当する部分には同一符号を付してその説明は繰返さない。
【００１５】
図１は、本発明の実施の形態に係る投写型映像表示装置の構成を示す概略図である。
図１に示す投写型映像表示装置１００は、光源１、コリメータレンズ２、第１ダイクロイックミラー３、第２ダイクロイックミラー４、フライアイレンズ５Ａ，５Ｂ、偏光ビームスプリッタ６、集光レンズ７，１０、第３ダイクロイックミラー８、第４ダイクロイックミラー９、全反射ミラー１１，１２，１３、液晶パネル２０、ダイクロイックプリズム３０、投写レンズ３１を含んでいる。なお、投写型映像表示装置１００は、Ｒ（Ｒｅｄ）Ｇ（Ｇｒｅｅｎ）Ｂ（Ｂｌｕｅ）三原色それぞれの光源１、およびＲＧＢ三原色それぞれの光路を有している。そのため、投写型映像表示装置１００は、それぞれの光路で同じ構成要素が含まれており、それぞれの光路における各構成要素を区別するために参照符号の後にＲＧＢの符号を付している。たとえば、赤色の光源１は光源１Ｒと、緑色の光源１は光源１Ｇと、青色の光源１は光源１Ｂとそれぞれ記載する。また、赤色の光路上にあるコリメータレンズ２はコリメータレンズ２Ｒと、緑色の光路上にあるコリメータレンズ２はコリメータレンズ２Ｇと、青色の光路上にあるコリメータレンズ２はコリメータレンズ２Ｂとそれぞれ記載する。
【００１６】
投写型映像表示装置１００は、液晶パネル２０を利用して映像を投写する液晶プロジェクタである。投写型映像表示装置１００は、液晶パネル２０を透過した光をスクリーン２００上に投写することにより、映像を投写（表示）する。投写面は、スクリーン２００に限定されず、壁面であってもよい。また、投写型映像表示装置１００は、液晶パネル２０を透過した光をスクリーン２００上に投写する方式限定されるものではなく、液晶パネル２０で反射した光をスクリーン２００上に投写する方式であってもよい。
【００１７】
光源１は、発光ダイオード（ＬＥＤ：Ｌｉｇｈｔ  Ｅｍｉｔｔｉｎｇ  Ｄｉｏｄｅ）であり、ＲＧＢ三原色それぞれ独立して配置してある。光源１は、発光ダイオードを利用しているため、超高圧水銀ランプを光源に利用する場合に比べて、光源の寿命が長くなる。なお、光源１は、面発光する光源であれば発光ダイオードに限定されるものではなく、たとえばＥＬ（Ｅｌｅｃｔｒｏ  Ｌｕｍｉｎｅｓｃｅｎｃｅ）などであってもよい。また、光源１は、ＲＧＢ三原色それぞれ独立して配置する場合に限定されるものではなく、白色光の光源であってもよい。
【００１８】
コリメータレンズ２は、光源１から出射された光（照明光速）を略平行光にするレンズである。第１ダイクロイックミラー３は、青色の波長領域の光を透過し、他の波長領域の光を反射する機能を有している。そのため、第１ダイクロイックミラー３は、コリメータレンズ２Ｂで略平行光にした、光源１Ｂから出射された青色の光を透過し、コリメータレンズ２Ｒで略平行光にした、光源１Ｒから出射された赤色の光を反射する。
【００１９】
第２ダイクロイックミラー４は、緑色の波長領域の光を反射し、他の波長領域の光を透過する機能を有している。そのため、第２ダイクロイックミラー４は、コリメータレンズ２Ｇで略平行光にした、光源１Ｇから出射された緑色の光を反射し、第１ダイクロイックミラー３を透過および反射した青色および赤色の光を透過する。
【００２０】
フライアイレンズ５Ａ，５Ｂは、第２ダイクロイックミラー４を透過または反射した光を均一な光強度分布に変換するインテグレータレンズである。フライアイレンズ５Ａ，５Ｂは、一対のレンズ群として構成され、個々のレンズ部分が液晶パネル２０の全面（被照射領域）を照射するように設計されており、光源１から出射された光に存在する部分的な照度ムラを平均化し、画面中央と周辺部との光強度差を低減する。
【００２１】
偏光ビームスプリッタ６は、光源１から出射された光の偏光方向を一方向に揃えるための光学素子である。集光レンズ７は、集光レンズ１０と共にフライアイレンズ５Ａ，５Ｂから出射した光を発散させずに、フライアイレンズ５Ａ，５Ｂの出射面と略共役の位置に配置されている液晶パネル２０の全面（被照射領域）に結像させるレンズである。
【００２２】
第３ダイクロイックミラー８は、集光レンズ７と集光レンズ１０との間に配置され、青色の波長領域の光を透過し、他の波長領域の光を反射する機能を有している。そのため、第３ダイクロイックミラー８は、集光レンズ７から出射された青色の光を透過し、集光レンズ７から出射された赤色および緑色の光を反射する。
【００２３】
第４ダイクロイックミラー９は、集光レンズ７と集光レンズ１０との間に配置され、赤色の波長領域の光を透過し、他の波長領域の光を反射する機能を有している。そのため、第４ダイクロイックミラー９は、第３ダイクロイックミラー８で反射された赤色の光を透過し、第３ダイクロイックミラー８で反射された緑色の光を反射する。
【００２４】
全反射ミラー１１，１２，１３は、入射した光を反射する光学素子である。具体的に、全反射ミラー１１は、第３ダイクロイックミラー８を透過した青色の光を反射して集光レンズ１０Ｂに入射する。全反射ミラー１２，１３は、第４ダイクロイックミラー９を透過した赤色の光を反射して集光レンズ１０Ｒに入射する。
【００２５】
液晶パネル２０は、ＤＶＤ（Digital  Versatile  Disc）再生装置、Ｂｌｕ−Ｒａｙディスク再生装置などから出力された映像情報に基づいて、入射する光を電気光学変調して映像を生成する。ダイクロイックプリズム３０は、液晶パネル２０Ｒ，２０Ｇ，２０Ｂのそれぞれで電気光学変調された光を合成する光学素子である。投写レンズ３１は、ダイクロイックプリズム３０で合成した光をスクリーン２００上に拡大して投写するレンズである。
【００２６】
次に、光源１から液晶パネル２０までに至る光路について、さらに詳しく説明する。図２は、光源１から液晶パネル２０までに至る光路を投写型映像表示装置１００の側面から見た概略図である。図３は、光源１から液晶パネル２０までに至る光路を投写型映像表示装置１００の上面から見た概略図である。
【００２７】
図２および図３に示すように光源１は、形状が矩形であり、投写型映像表示装置１００の側面側に長辺、投写型映像表示装置１００の上面側に短辺となるように配置してある。
【００２８】
また、偏光ビームスプリッタ６は、図３に示すように、フライアイレンズ５Ｂで集光させた光が入射する一面に、開口部６ａと、遮光部６ｂとを有している。開口部６ａおよび遮光部６ｂは、図３の紙面に対して垂直な方向に形成してある。そのため、光源１の形状の長辺方向と、偏光ビームスプリッタ６の開口部６ａの長辺方向とは一致している。
【００２９】
図４は、偏光ビームスプリッタ６の構成を示す斜視図である。偏光ビームスプリッタ６は、図４に示すように、上下方向に伸びた短冊状の開口部６ａおよび遮光部６ｂを左右方向に交互に形成してある。遮光部６ｂは、たとえば偏光ビームスプリッタ６の一面に、短冊状のマスキングを施して真空装置内でアルミニウム等の金属を蒸着させた遮光膜または反射膜である。なお、遮光部６ｂは、金属蒸着に限らず、誘電体膜を蒸着させることで形成してもよい。また、遮光部６ｂの形成方法は、蒸着に限定するものではなく、印刷や転写といった方法であってもよい。
【００３０】
また、偏光ビームスプリッタ６は、偏光分離膜６ｃ、位相差板（１／２λ板）６ｄを有している。偏光分離膜６ｃは、フライアイレンズ５Ｂで集光させた光のうちＰ偏光の光を透過し、Ｓ偏光の光を反射する。位相差板（１／２λ板）６ｄは、偏光分離膜６ｃを透過したＰ偏光の光をＳ偏光の光に偏光方向を変換する。
【００３１】
図５は、偏光ビームスプリッタ６における光の偏光方向の変換を説明する模式図である。図５に示すように、フライアイレンズ５Ａ，５Ｂで集光させた光は、Ｐ偏光とＳ偏光とを含む光である。そして、フライアイレンズ５Ａ，５Ｂで集光させた光は、偏光ビームスプリッタ６の開口部６ａに入射し、偏光ビームスプリッタ６の膜の略中央部で偏光分離膜６ｃに至る。フライアイレンズ５Ａ，５Ｂで集光させた光のうちＰ偏光の光は、偏光分離膜６ｃを透過し、位相差板（１／２λ板）６ｄに入射する。位相差板（１／２λ板）６ｄに入射したＰ偏光の光は、Ｓ偏光の光に偏光方向が変換される。
【００３２】
フライアイレンズ５Ａ，５Ｂで集光させた光のうちＳ偏光の光は、偏光分離膜６ｃで反射され、光路が略９０度変更され、近傍の偏光分離膜６ｃに入射する。近傍の偏光分離膜６ｃに入射したＳ偏光の光は、また光路が略９０度変更され、偏光ビームスプリッタ６から出射される。そのため、偏光ビームスプリッタ６は、Ｐ偏光とＳ偏光とを含む光を、Ｓ偏光のみを含む光に変換して集光レンズ７に出射することができる。
【００３３】
次に、偏光ビームスプリッタ６の一面において、フライアイレンズ５Ａ，５Ｂで集光させた光の形状について説明する。フライアイレンズ５Ａ，５Ｂで集光させた光の形状は、基本的に光源１の形状に依存する。そのため、図２および図３に示すように光源１の形状が矩形状であれば、偏光ビームスプリッタ６の一面において、フライアイレンズ５Ａ，５Ｂで集光させた光の形状も矩形状となる。
【００３４】
また、本実施の形態では、光源１の形状の長辺方向と、偏光ビームスプリッタ６の開口部６ａの長辺方向とを一致させる。そのため、偏光ビームスプリッタ６の一面において、フライアイレンズ５Ａ，５Ｂで集光させた光の形状の長辺方向と、偏光ビームスプリッタ６の開口部６ａの長辺方向とは一致する。
【００３５】
図６は、偏光ビームスプリッタ６の一面において、フライアイレンズ５Ａ，５Ｂで集光させた光の形状を示す模式図である。図６に示すようにフライアイレンズ５Ａ，５Ｂで集光させた光６０の形状は、矩形状であり、長辺方向が開口部６ａの長辺方向と一致している。そのため、フライアイレンズ５Ａ，５Ｂで集光させた光６０の形状は、開口部６ａの領域内に納まり、遮光部６ｂにはみ出す部分がない。つまり、偏光ビームスプリッタ６の一面において、フライアイレンズ５Ａ，５Ｂで集光させた光は、遮光部６ｂで遮光されることなく、開口部６ａにほぼすべて入射されるので、光源１からの光の利用効率を高めることができる。
【００３６】
しかし、光源１の形状の短辺方向と、偏光ビームスプリッタ６の開口部６ａの長辺方向とを一致させる場合、偏光ビームスプリッタ６の一面において、フライアイレンズ５Ａ，５Ｂで集光させた光の形状の長辺方向と、偏光ビームスプリッタ６の開口部６ａの長辺方向とは一致しない。
【００３７】
図７は、偏光ビームスプリッタ６の一面において、フライアイレンズ５Ａ，５Ｂで集光させた光の別の形状を示す模式図である。図７に示すようにフライアイレンズ５Ａ，５Ｂで集光させた光６１の形状は、矩形状であるが、短辺方向が開口部６ａの長辺方向と一致している。そのため、フライアイレンズ５Ａ，５Ｂで集光させた光６１の形状は、開口部６ａの領域内からはみ出し、一部が遮光部６ｂと重なっている。つまり、偏光ビームスプリッタ６の一面において、フライアイレンズ５Ａ，５Ｂで集光させた光の一部が、遮光部６ｂで遮光され、光源１からの光の利用効率が低下する。たとえば、フライアイレンズ５Ａ，５Ｂで集光させた光６１の形状のうち１０％の領域が遮光部６ｂと重なっている場合、光源１からの光の利用効率は１０％低下すことになる。
【００３８】
そこで、本実施の形態では、光源１からの光の利用効率を高めるために、光源１の形状の長辺方向と、偏光ビームスプリッタ６の開口部６ａの長辺方向とを一致させて、図６に示すように光６０の形状の長辺方向と、偏光ビームスプリッタ６の開口部６ａの長辺方向とを一致させる。
【００３９】
本実施の形態に係る光源１および偏光ビームスプリッタ６の構成について具体的に説明する。たとえば、光源１の形状が、短辺方向２．０ｍｍ、長辺方向が２．７ｍｍの矩形状の場合に、セルの大きさが、水平方向４．０ｍｍ、垂直方向３．０ｍｍ、セル数が、水平方向７個、垂直方向９個、曲率半径７．０ｍｍのフライアイレンズ５Ａ，５Ｂで偏光ビームスプリッタ６の一面に集光させた光６０の形状は、水平方向２．０ｍｍ、垂直方向２．７ｍｍとなる。偏光ビームスプリッタ６の開口部６ａの短辺方向（水平方向）が２．０ｍｍであれば、開口部６ａの短辺方向（水平方向）内に、光６０の形状の水平方向が納まっている。
【００４０】
次に、光源１の形状が、短辺方向２．７ｍｍ、長辺方向が２．０ｍｍの矩形状の場合に、セルの大きさが、前述と同じフライアイレンズ５Ａ，５Ｂで偏光ビームスプリッタ６の一面に集光させた光６０の形状は、水平方向２．７ｍｍ、垂直方向２．０ｍｍとなる。偏光ビームスプリッタ６の開口部６ａの短辺方向（水平方向）が２．０ｍｍであれば、開口部６ａの短辺方向（水平方向）内に、光６０の形状の水平方向が納まらず、０．７ｍｍ程度はみ出し、光源１からの光の利用効率は低下する。
【００４１】
さらに、光源１の形状が、短辺方向２．７ｍｍ、長辺方向が２．０ｍｍの矩形状の場合に、開口部６ａの短辺方向（水平方向）内に、光６０の形状の水平方向が納まるようなフライアイレンズ５Ａ，５Ｂを選択することを検討する。このとき、フライアイレンズ５Ａ，５Ｂは、セルの大きさが、水平方向４．０ｍｍ、垂直方向３．０ｍｍ、セル数が、水平方向７個、垂直方向９個、曲率半径６．２ｍｍのレンズを用いる。このフライアイレンズ５Ａ，５Ｂで偏光ビームスプリッタ６の一面に集光させた光６０の形状は、水平方向２．０ｍｍ、垂直方向１．５ｍｍとなる。そのため、偏光ビームスプリッタ６の開口部６ａの短辺方向（水平方向）が２．０ｍｍであれば、開口部６ａの短辺方向（水平方向）内に、光６０の形状の水平方向が納まっている。
【００４２】
しかし、光源１の形状の長辺方向と、偏光ビームスプリッタ６の開口部６ａの長辺方向とを一致させた場合と、光源１の形状の長辺方向と、偏光ビームスプリッタ６の開口部６ａの長辺方向とを一致させない場合とで、偏光ビームスプリッタ６での光の損失が同等であると仮定した場合の照明光学系のＦ値が異なる。具体的に、前述の例で、光源１の形状の長辺方向と、偏光ビームスプリッタ６の開口部６ａの長辺方向とを一致させた場合、Ｆ値は１．５５となるが、光源１の形状の長辺方向と、偏光ビームスプリッタ６の開口部６ａの長辺方向とを一致させない場合、Ｆ値は１．３７と小さくなる。つまり、Ｆ値を大きくすることができるということは、偏光ビームスプリッタ６の開口部６ａの長辺方向とを一致させた場合の方が、投写レンズ３１で投写されない光束が減るため、光源１からの光の利用効率を高いことが分かる。
【００４３】
なお、フライアイレンズ５Ａ，５Ｂで集光させた光の形状の長辺方向と、偏光ビームスプリッタ６の開口部６ａの長辺方向とを一致させる構成は、光源１の形状の長辺方向と、偏光ビームスプリッタ６の開口部６ａの長辺方向とを一致させる構成に限定されるものではなく、光源１からの光の利用効率を高めることができるため、いずれの構成であってもよい。
【００４４】
たとえば、光源１の形状の短辺方向と、偏光ビームスプリッタ６の開口部６ａの長辺方向とを一致させる場合であっても、コリメータレンズ２、およびフライアイレンズ５Ａ，５Ｂを含む光学系を調整して、フライアイレンズ５Ａ，５Ｂで集光させた光の形状の長辺方向と、偏光ビームスプリッタ６の開口部６ａの長辺方向とを一致させてもよい。
【００４５】
以上のように、本発明の実施の形態に係る投写型映像表示装置１００は、フライアイレンズ５Ａ，５Ｂで集光させた光の形状の長辺方向と、偏光ビームスプリッタ６の開口部６ａの長辺方向とを一致させるので、フライアイレンズ５Ａ，５Ｂで集光させた光のうち、偏光ビームスプリッタ６で偏光方向を変換する光の割合が増え、光源１からの光の利用効率を高めることができる。
【００４６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００４７】
１  光源、２  コリメータレンズ、３  第１ダイクロイックミラー、４  第２ダイクロイックミラー、５Ａ，５Ｂ  フライアイレンズ、６  偏光ビームスプリッタ、６ａ  開口部、６ｂ  遮光部、６ｃ  偏光分離膜、７，１０  集光レンズ、８  第３ダイクロイックミラー、９  第４ダイクロイックミラー、１１，１２，１３  全反射ミラー、２０  液晶パネル、３０  ダイクロイックプリズム、３１  投写レンズ、６０，６１  光、１００  投写型映像表示装置、２００  スクリーン。
【図１】
2013007835.tif 000003
【図２】
2013007835.tif 000004
【図３】
2013007835.tif 000005
【図４】
2013007835.tif 000006
【図５】
2013007835.tif 000007
【図６】
2013007835.tif 000008
【図７】
2013007835.tif 000009